(57)【要約】【課題】  簡易な構成で発光色の選択が即座にできるようにして、結果的に製造コストが低い誘導棒を提供する。【解決手段】  把持部１２と、該把持部１２に連設される筒状の発光部１３と、該発光部１３を発光させるスイッチ１４とを少なくとも備え、前記発光部１３の中央部１３ｂから先端部１３ａに亘って第１色発光領域２０とし、前記中央部１３ｂから基部１３ｃに亘って第２色発光領域２１として形成し、前記発光部１３には、前記第１色発光領域２０又は第２色発光領域２１のいずれかをカバーするカバー筒体１５を移動自在に設けた誘導棒１１である。また、前記第１色発光領域２０は赤色発光領域とし、前記第２色発光領域２１は青色又は緑色発光領域として形成することが望ましい。【選択図】      図１
2006338113.tif 000002
【特許請求の範囲】
【請求項１】
把持部と、該把持部に連設される筒状の発光部と、該発光部を発光させるスイッチとを少なくとも有し、
前記発光部の中央部から先端部に亘って第１色発光領域とし、前記中央部から基部に亘って第２色発光領域として形成し、
前記発光部には、前記第１色発光領域又は第２色発光領域のいずれかをカバーするカバー筒体を移動自在に設けたことを特徴とする誘導棒。
【請求項２】
前記第１色発光領域は赤色発光領域とし、前記第２色発光領域は青色又は緑色発光領域としたことを特徴とする請求項１に記載の誘導棒。
【請求項３】
前記発光部及び前記カバー筒体には、該カバー筒体の移動を規制するストッパー手段が設けられていることを特徴とする請求項１に記載の誘導棒。
【発明の詳細な説明】
【技術分野】
【０００１】
本発明は、夜間の道路工事又は交通検問等において、警備員や警察官等が携行して交通誘導するための、誘導棒に関するものである。
【背景技術】
【０００２】
従来の誘導棒としては、次のような構成のものが知られている。この誘導棒は、グリップ部と、このグリップ部に連設する発光部と、この発光部を発光させるスイッチとから構成されており、発光部の内部には、発光色の異なる２種類の発光素子が複数個設けられている。そして、スイッチで発光素子の発光種類を選択することにより、発光部の発光色を、例えば赤から緑に変更できるようになっている（特許文献１参照）。
【０００３】
このような構成の誘導棒は、現場の状況等に応じて発光部の発光色を適宜に変更することができるので、進行又は停止等の指示の明確性を向上させると共に、誘導の視認性を良好にする。
【特許文献１】特開平８−２２１６９２号公報（第１頁、図１乃至図４）。
【発明の開示】
【発明が解決しようとする課題】
【０００４】
この従来例の誘導棒においては、発光色の異なる２種類の発光素子を複数個備え、また、発光色を選択するスイッチ機構を有するので、構造が複雑で部品点数が多くなり、製造コストが割高になるという欠点を有している。
【０００５】
従って、従来例における誘導棒においては、簡易な構成で発光色の選択が即座にできるようにして、結果的に製造コストを低下させることに解決しなければならない課題を有している。
【課題を解決するための手段】
【０００６】
前記従来例の課題を解決する具体的手段として本発明は、把持部と、該把持部に連設される筒状の発光部と、該発光部を発光させるスイッチとを少なくとも有し、前記発光部の中央部から先端部に亘って第１色発光領域とし、前記中央部から基部に亘って第２色発光領域として形成し、前記発光部には、前記第１色発光領域又は第２色発光領域のいずれかをカバーするカバー筒体を移動自在に設けたことを特徴とする誘導棒を提供するものである。
【０００７】
また、前記第１色発光領域は赤色発光領域とし、前記第２色発光領域は青色又は緑色発光領域とした構成としたものであり、そして、前記発光部及び前記カバー筒体には、該カバー筒体の移動を規制するストッパー手段が設けられている構成としたものである。
【発明の効果】
【０００８】
本発明に係る誘導棒は、把持部と、該把持部に連設される筒状の発光部と、該発光部を発光させるスイッチとを少なくとも有し、前記発光部の中央部から先端部に亘って第１色発光領域とし、前記中央部から基部に亘って第２色発光領域として形成し、前記発光部には、前記第１色発光領域又は第２色発光領域のいずれかをカバーするカバー筒体を移動自在に設けたことによって、カバー筒体を発光部の先端部側又は基部側に移動するだけで、発光部の発光色の選択が即座にできる。更には、従来例のような複雑なスイッチ機構や２種類の発光素子が必要ないので、構造が簡単で部品点数が少なく、製造コストが低下するという優れた効果を奏する。
【０００９】
また、第１色発光領域は赤色発光領域とし、前記第２色発光領域は青色又は緑色発光領域としたことによって、発光色をいずれかに選択することにより、進行又は停止等の指示が明確になり、誘導の視認性が向上するという優れた効果を奏する。
【００１０】
そして、発光部及びカバー筒体には、該カバー筒体の移動を規制するストッパー手段が設けられていることによって、誘導棒を振ってもカバー筒体が不用意にズレないという優れた効果を奏する。
【発明を実施するための最良の形態】
【００１１】
次に、本発明の実施の形態について図面を参照しながら説明する。まず、図１から図３において、符号１１は誘導棒を示し、この誘導棒１１は、把持部１２と、この把持部１２に連設される筒状の発光部１３と、この発光部１３を発光させるスイッチ１４と、発光部１３をカバーするカバー筒体１５とから構成される。
【００１２】
把持部１２は、筒状に形成され、内部に電池が収納されると共に、後部には、防水性を有するキャップ１６が施蓋されている。このキャップ１６には、係止用の摘み１７が設けられている。
また、把持部１２の前部側には、テーパー部１９を有し、このテーパー部１９を介して発光部１３が連設されている。
【００１３】
発光部１３は、透明又は半透明な合成樹脂製の筒体で形成されており、所定の長さを有し、内部には、図示しない発光ダイオード等の発光素子が設けられている。また、発光部１３の先端部１３ａは閉塞されている。
【００１４】
また、発光部１３の中央部１３ｂから先端部１３ａに亘って第１色発光領域２０として形成されており、更に、中央部１３ｂから基部１３ｃに亘って第２色発光領域２１として形成されている。第１色発光領域は、具体的には赤色であることが望ましく、第２色発光領域は、具体的には青色又は緑色であることが望ましい。
【００１５】
この第１色発光領域２０又は第２色発光領域２１の構造について説明する。図４に示すように、発光部１３の内周面に赤色又は青色等の着色フィルム１８が設けられており、前述の発光素子が発光することにより、光が透過して発光部１３が赤色又は青色に発光するのである。
【００１６】
また、発光部１３の先端部１３ａには、図５（ハ）に示すように、複数の小突起２２（ストッパー手段）が形成されている。同様に、発光部１３の基部１３ｃには、複数の小突起２３（ストッパー手段）が形成されている。
【００１７】
スイッチ１４は、把持部１２に設けられて、防水性を有するように形成されている。このスイッチ１４を押圧することにより、発光部１３の内部に設けられた発光素子を点灯又は消灯して、発光部１３を発光又は消灯するようになっている。
【００１８】
カバー筒体１５は、発光部１３をカバーする筒状に形成されていると共に、光を遮蔽するよう黒色等に着色されている。また、カバー筒体１５は、発光部１３の約半分の長さ、即ち、第１色発光領域２０又は第２色発光領域２１と略同一の長さに形成されている。更に、カバー筒体１５は、発光部１３を長さ方向に沿って摺動状態で移動できるようになっている。
【００１９】
カバー筒体１５の一方の端部１５ａには、図５（ニ）に示すように、複数の小孔２４（ストッパー手段）が形成されている。この小孔２４は、発光部１３の小突起２２と対応する位置に設けられており、両者が嵌合して、カバー筒体１５の移動が規制されるようになっている。
同様に、カバー筒体１５の他方の端部１５ｂには、複数の小孔２５（ストッパー手段）が形成されている。この小孔２５は、発光部１３の小突起２３と対応する位置に設けられており、両者が嵌合して、カバー筒体１５の移動が規制されるようになっている。
このように、発光部１３及びカバー筒体１５には、ストッパー手段が設けられているので、カバー筒体１５を第１色発光領域２０又は第２色発光領域２１に移動させた後には、その移動が規制されるので、誘導棒１１を振ってもカバー筒体１５が不用意にズレないのである。
【００２０】
以上のように構成される誘導棒１１は、カバー筒体１５を発光部１３の先端部１３ａ側、又は基部１３ｃ側に移動するだけで、第１色発光領域２０又は第２色発光領域２１をカバーして発光を遮蔽するので、発光部１３の発光色の選択が即座にできる（図１又は図２参照）。この場合、赤色の発光領域、又は青色の発光領域を選択することにより、進行又は停止等の指示が明確になり、誘導の視認性が向上する。
【図面の簡単な説明】
【００２１】
【図１】本発明に係る誘導棒１１の正面図である。
【図２】本発明に係る誘導棒１１の正面図である。
【図３】（イ）カバー筒体１５の斜視図である。（ロ）カバー筒体１５を取り外した状態の誘導棒１１の正面図である。
【図４】図１のＡ−Ａ線断面図である。
【図５】（ハ）発光部１３の先端部１３ａ及び基部１３ｃを拡大して示した正面図である。（ニ）カバー筒体１５の両端部１５ａ、１５ｂを拡大して示した正面図である。
【符号の説明】
【００２２】
１１  誘導棒
１２  把持部
１３  発光部
１３ａ先端部
１３ｂ中央部
１３ｃ基部
１４  スイッチ
１５  カバー筒体
１５ａ、１５ｂ  端部
１６  キャップ
１７  摘み
１８  着色フィルム
１９  テーパー部
２０  第１色発光領域
２１  第２色発光領域
２２、２３  小突起（ストッパー手段）
２４、２５  小孔（ストッパー手段）
【図１】
2006338113.tif 000003
【図２】
2006338113.tif 000004
【図３】
2006338113.tif 000005
【図４】
2006338113.tif 000006
【図５】
2006338113.tif 000007